(57)【特許請求の範囲】
【請求項１】
複数の楽曲データ記憶部に記憶されている楽曲データを再生するオーディオ再生方法において、
前記複数の楽曲データ記憶部から楽曲情報を取得する第１ステップ、
該取得した楽曲情報において、共通する楽曲情報が存在するか判定する第２ステップ、
前記共通する楽曲情報が存在すると判定された場合は、該楽曲情報が記憶された楽曲データ記憶部の数が多い順に楽曲データを再生する第３ステップ、
を有することを特徴とするオーディオ再生方法。
【請求項２】
前記楽曲情報に楽曲データの再生回数を含ませておき、前記第２ステップにおいて、前記共通する楽曲情報が記憶された楽曲データ記憶部の数が同一である場合は、前記第３ステップにおいて、該再生回数が多い順に楽曲データを再生する、
ことを特徴とする請求項１記載のオーディオ再生方法。
【請求項３】
複数の楽曲データ記憶部に記憶されている楽曲データを再生するオーディオ装置において、
前記複数の楽曲データ記憶部から楽曲情報を取得する楽曲情報取得部と、
前記楽曲情報取得部により取得された楽曲情報の内、共通する楽曲情報が存在するか判定し、該共通する楽曲情報が存在すると判定された場合は、該楽曲情報が記憶された楽曲データ記憶部の数が多い順に楽曲データを再生するよう制御する制御部と、
前記制御部の指示に基づいて楽曲データを再生する楽曲データ再生部と、
を備えることを特徴とするオーディオ装置。
【請求項４】
前記楽曲情報に楽曲データの再生回数を含ませておき、
前記共通する楽曲情報が記憶された楽曲データ記憶部の数が同一である場合は、前記制御部は、該再生回数が多い順に楽曲データを再生するよう制御し、
楽曲データ再生部は、前記制御部の指示に基づいて楽曲データを再生する、
ことを特徴とする請求項３記載のオーディオ装置。
【発明の詳細な説明】
【技術分野】
【０００１】
本発明は、オーディオ再生方法及びオーディオ装置に係わり、特に、複数の楽曲データ記憶部に記憶されている楽曲データを再生するオーディオ再生方法及びオーディオ装置に関する。
【背景技術】
【０００２】
近年、オーディオ装置（例えば車載用オーディオ装置）は、楽曲データと楽曲情報（楽曲名及びアーティスト名）とを記憶することができる携帯型オーディオ装置に接続し、楽曲データの再生が指示されたとき、該楽曲データが記憶されている携帯型オーディオ装置から該楽曲データを読み出して再生することができるようになっている。
【０００３】
このようなオーディオ装置に搭載されている再生機能には、携帯型オーディオ装置に記憶されている楽曲を順番通りに再生する機能の他に、プレイリスト再生機能がある。この機能は、携帯型オーディオ装置に記憶された楽曲情報の中から、ユーザがお気に入りの楽曲を選択して再生順序を設定し、オーディオ装置がその再生順序に基づいて、楽曲データを携帯型オーディオ装置から読み出して再生する機能である。
【０００４】
また、プレイリスト再生の従来技術として、記憶された複数の楽曲データの再生状況に基づいて、ユーザのお気に入りの曲を自動的に判断して再生することができるオーディオ装置がある（特許文献１参照）。
具体的には、楽曲のタイトル別に楽曲データの再生回数と早送り回数とをカウントし、該楽曲データの再生回数から早送り回数を減算することにより、楽曲のタイトル別にお気に入り度を算出する。そして、再生順序をこのお気に入り度が高い順に自動的に設定し、該設定された再生順序に基づいて、楽曲データを再生する。
【特許文献１】特開２００３−３１７４５１号公報
【発明の開示】
【発明が解決しようとする課題】
【０００５】
従来技術によれば、オーディオ装置に接続する携帯型オーディオ装置が１台である場合は、携帯型オーディオ装置の所有者の好みを反映した楽曲を自動的に再生することができる。
ところで、最近では、オーディオ装置に複数のユーザの携帯型オーディオ装置を同時に接続し、楽曲データの再生が指示されたとき、該楽曲データが記憶されている携帯型オーディオ装置から該楽曲データを読み出して再生することができるようになってきている。
このようにオーディオ装置に複数のユーザの携帯型オーディオ装置を同時に接続した場合には、従来技術では、携帯型オーディオ装置の所有者全員の好みを反映した楽曲を自動的に再生することができなかった。
【０００６】
従って、本発明の目的は、オーディオ装置に複数のユーザの楽曲データ記憶部（携帯型オーディオ装置）を接続した際に、携帯型オーディオ装置の所有者全員が好む楽曲を自動的に判断して再生するオーディオ再生方法及びオーディオ装置を提供することである。
【課題を解決するための手段】
【０００９】
本発明は、複数の楽曲データ記憶部に記憶されている楽曲データを再生するオーディオ再生方法であり、前記複数の楽曲データ記憶部から楽曲情報を取得する第１ステップ、前記複数の楽曲データ記憶部に共通する楽曲情報が存在するか判定する第２ステップ、前記共通する楽曲情報が存在すると判定された場合は、該楽曲情報が記憶された楽曲データ記憶部の数が多い順に楽曲データを再生する第３ステップ、を有している。
【００１０】
上記オーディオ再生方法は、前記楽曲情報に楽曲データの再生回数を含ませておき、第２ステップにおいて、前記共通する楽曲情報が記憶された楽曲データ記憶部の数が同一である場合は、第３ステップにおいて、該再生回数が多い順に楽曲データを再生する。
【００１４】
本発明は、複数の楽曲データ記憶部に記憶されている楽曲データを再生するオーディオ装置であり、前記複数の楽曲データ記憶部から楽曲情報を取得する楽曲情報取得部と、前記楽曲情報取得部により取得された楽曲情報の内、共通する楽曲情報が存在するか判定し、該共通する楽曲情報が存在すると判定された場合は、該楽曲情報が記憶された楽曲データ記憶部の数が多い順に楽曲データを再生するよう制御する制御部と、前記制御部の指示に基づいて楽曲データを再生する楽曲データ再生部と、を備えている。
【００１５】
上記オーディオ装置は、前記楽曲情報に楽曲データの再生回数を含ませておき、前記共通する楽曲情報が記憶された楽曲データ記憶部の数が同一である場合は、前記制御部は、該再生回数が多い順に楽曲データを再生するよう制御し、楽曲データ再生部は、前記制御部の指示に基づいて楽曲データを再生する。
【発明の効果】
【００１７】
本発明によれば、前記複数の楽曲データ記憶部から楽曲情報を取得し、前記複数の楽曲データ記憶部全てに共通する楽曲情報が存在するか判定し、前記共通する楽曲情報が存在すると判定された場合は、該楽曲情報に応じた楽曲データを再生するように構成したため、オーディオ装置に複数のユーザの楽曲データ記憶部（例えば携帯型オーディオ装置）を接続した際に、楽曲データ記憶部のユーザ全員が好む楽曲データを自動的に再生することができる。
【００１８】
本発明によれば、前記複数の楽曲データ記憶部から楽曲情報を取得し、共通する楽曲情報が存在するか判定し、前記共通する楽曲情報が存在すると判定された場合は、該楽曲情報が記憶された楽曲データ記憶部の数が多い順に楽曲データを再生するように構成したため、オーディオ装置に複数のユーザの楽曲データ記憶部（例えば携帯型オーディオ装置）を接続した際に、楽曲データ記憶部のユーザ全員が好む順に楽曲データを再生することができる。
【００１９】
本発明によれば、前記複数の楽曲データ記憶部から該楽曲データの再生回数を含む楽曲情報を取得し、該取得した楽曲情報において、共通する楽曲情報が存在するか判定し、共通する楽曲情報が存在すれば、各楽曲データの再生回数を加算し、前記再生回数が多い順に楽曲データを再生するように構成したため、楽曲データ記憶部のユーザが好む順に楽曲データを再生することができる。
【発明を実施するための最良の形態】
【００２０】
（Ａ）本発明に係るオーディオ装置の概略
図１は本発明に係るオーディオ装置の概略図である。
ユーザがオーディオ装置１に携帯型オーディオ装置Ｐ１、Ｐ２、Ｐ３を接続すると、制御部２は携帯型オーディオ装置Ｐ１、Ｐ２、Ｐ３が接続されたことを認識して、携帯型オーディオ装置Ｐ１に記憶された楽曲情報３、携帯型オーディオ装置Ｐ２に記憶された楽曲情報４、携帯型オーディオ装置Ｐ３に記憶された楽曲情報５を取得する。なお、楽曲情報は楽曲名やアーティスト名等に加え、楽曲データの再生回数を含んでいる。
次いで、ユーザによりプレイリスト再生が操作部６により指示されると、制御部２は取得した楽曲情報３、４、５を参照して携帯型オーディオ装置Ｐ１、Ｐ２、Ｐ３全てに共通する楽曲情報が存在するか判定する。全ての携帯型オーディオ装置Ｐ１、Ｐ２、Ｐ３に共通する楽曲情報が存在すれば、制御部２は、該楽曲情報をプレイリスト記憶部７に記憶する。この時、全ての携帯型オーディオ装置Ｐ１、Ｐ２、Ｐ３に共通する楽曲情報が複数存在する場合は、取得した楽曲データの再生回数から、各携帯型オーディオ装置で再生された再生回数の合計値を算出し、この合計再生回数が多い順にプレイリスト記憶部７に記憶する。更に、再生回数が最も多い携帯型オーディオ装置を楽曲データ記憶装置とし、該楽曲情報に対応させてプレイリスト記憶部７に記憶する。この後、携帯型オーディオ装置Ｐ１、Ｐ２、Ｐ３の内、２台に共通する楽曲情報が存在する場合及び１台にのみ記憶されている楽曲情報の場合において、携帯型オーディオ装置Ｐ１、Ｐ２、Ｐ３全てに共通する楽曲情報が存在する場合と同様の処理を行う。これにより、プレイリスト記憶部７には符号８に示すようなプレイリストが記憶される。なお、楽曲番号１〜３は全ての携帯型オーディオ装置に共通する楽曲情報、楽曲番号４〜６は２台の携帯型オーディオ装置に共通する楽曲情報、楽曲番号７以降は非共通の楽曲情報である。
そして、制御部２は、プレイリスト記憶部に記憶された楽曲番号順に楽曲データ記憶装置データが特定する携帯型オーディオ装置から楽曲データを読み出し、この楽曲データは楽曲データ再生部９より再生される。
【００２１】
（Ｂ）本発明に係るオーディオ装置
図２は本発明に係るオーディオ装置の構成図である。
符号１１は、ＣＤが装填されてこのＣＤを回転駆動するＣＤドライブを示しており、このＣＤドライブ１１はＣＤを線速度一定でスピンドル回転制御するとともに、フォーカス／トラッキングサーボ制御し、ＣＤ読込装置１２は光ピックアップで読み込んだ信号をＥＦＭ処理、ＡＧＣ処理後、デジタル信号処理してＴＯＣ情報と楽曲データを発生する。楽曲データ再生部９は楽曲データを用いてＤＡ変換処理等の制御を行ってスピーカ１３より再生音を出力する。制御部２は、ＴＯＣ情報を用いてトラック番号、演奏時間、残演奏時間等を表示部１６に表示する。以上はＣＤを再生するオーディオ装置を用いる場合であるが、ＭＤやＤＶＤあるいはＨＤＤ等を再生するオーディオ装置を用いることもできる。
【００２２】
また、携帯型オーディオ装置に記憶されている楽曲データをプレイリスト再生するには、オーディオ装置１に携帯型オーディオ装置Ｐ１、Ｐ２、Ｐ３を通信インターフェース１４を介して接続する。制御部２は、携帯型オーディオ装置Ｐ１、Ｐ２、Ｐ３が接続されたことを認識して、携帯型オーディオ装置Ｐ１、Ｐ２、Ｐ３内のＨＤＤにそれぞれ記憶されている楽曲情報を入力するように通信インターフェース１４を介して要求する。この要求により、携帯型オーディオ装置Ｐ１、Ｐ２、Ｐ３は楽曲情報（図１の符号３〜５）を通信インターフェース１４を介して制御部２に入力する。制御部２は、携帯型オーディオ装置を特定するデータ（楽曲データ記憶装置を表すデータ）を入力された楽曲情報に対応させて楽曲情報記憶部１５に記憶する。次に、ユーザが操作部６より「お気に入り曲」のプレイリスト再生を指示すると、制御部２は、楽曲情報記憶部１５に記憶された楽曲情報を参照して携帯型オーディオ装置Ｐ１、Ｐ２、Ｐ３全てに共通する楽曲情報が存在するか判定する。全ての携帯型オーディオ装置Ｐ１、Ｐ２、Ｐ３に共通する楽曲情報が存在すれば、制御部２は、該楽曲情報をプレイリスト記憶部７に記憶する。この時、該楽曲情報が複数存在する場合は、取得した楽曲データの再生回数から、各携帯型オーディオ装置で再生された再生回数の合計値を算出し、この合計再生回数が多い順にプレイリスト記憶部７に記憶する（図１のプレイリスト８の楽曲番号１〜３）。更に、再生回数が最も多い携帯型オーディオ装置を楽曲データ記憶装置とし、該楽曲情報に対応させてプレイリスト記憶部７に記憶する。この後、携帯型オーディオ装置Ｐ１、Ｐ２、Ｐ３の内、２台に共通する楽曲情報が存在する場合及び１台にのみ記憶されている楽曲情報の場合において、携帯型オーディオ装置Ｐ１、Ｐ２、Ｐ３全てに共通する楽曲情報が存在する場合と同様の処理を行う。そして、制御部２は、プレイリスト記憶部７に記憶された楽曲番号順に楽曲データ記憶装置データが特定する携帯型オーディオ装置から楽曲データを読み出し、この楽曲データを再生するように楽曲データ再生部９に指示する。この指示により、楽曲データ再生部９は楽曲データを再生し、スピーカ１３より再生音を出力する。更に、制御部２は、現在再生している楽曲の楽曲情報をプレイリスト記憶部７から読み出して表示部１６に表示する。
以上は、携帯型オーディオ装置に記憶されている楽曲データをプレイリスト再生する制御であるが、操作部６からユーザが携帯型オーディオ装置に記憶されている楽曲を直接指定して該楽曲を再生させることもできる。
【００２３】
（Ｃ）携帯型オーディオ装置の構成
図３は携帯型オーディオ装置の構成図である。
楽曲データの記憶に際して、携帯型オーディオ装置に図示しない楽曲データと楽曲情報（楽曲名やアーティスト名等）とを記憶している図示しない外部機器（例えばＰＣ等）を通信インターフェース２１を介して接続する。そして、記憶制御部２２は操作部２７からのユーザ指示に従って、外部機器より楽曲データと楽曲情報とを通信インターフェース２１を介して取得し、楽曲データ記憶部２３に記憶する。この際、記憶制御部２２は該楽曲情報にこの再生回数データ（初期値は「０」）を付加して楽曲データ記憶部２３に記憶する。これにより、楽曲データ記憶部２３には符号２４に示すように楽曲名、アーティスト名、再生回数データ及び楽曲データ等が記憶される。
【００２４】
上記方法により楽曲データと楽曲情報とが楽曲データ記憶部２３に記憶された状態において、操作部２７からのユーザ指示により、読出制御部２５は楽曲データ記憶部２３から楽曲情報を読み出し、表示部２６に表示する。ユーザが該表示された所定の楽曲情報の楽曲データの再生を操作部２７より行う。これにより、読出制御部２５に該楽曲データの再生要求がなされ、読出制御部２５は楽曲データ記憶部２３から該楽曲データを読み出して、この楽曲データを再生するように楽曲データ再生部２８に指示する。この指示に基づいて、楽曲データ再生部２８は、楽曲データを再生し、スピーカ２９あるいは図示しないヘッドフォンより再生音を出力する。そして、この楽曲データの再生が終了すると、読出制御部２５は、再生回数データを「１」加算し、楽曲データ記憶部２３の再生回数データを更新する。
【００２５】
オーディオ装置（例えば車載用オーディオ装置）で携帯型オーディオ装置に記憶されている楽曲を再生するには、該携帯型オーディオ装置を図２に示したオーディオ装置に通信インターフェース２１を介して接続する。読出制御部２５は制御部２（図２参照）より楽曲情報を入力するように指示されると、楽曲データ記憶部２３より楽曲情報（楽曲名、アーティスト名及び再生回数データ）を読み出し、通信インターフェース２１を介して制御部２に入力する。また、制御部２から所定の楽曲の楽曲データを入力するように指示されると、読出制御部２５は楽曲データ記憶部２３より該楽曲データを読み出し、通信インターフェース２１を介して制御部２に入力する。
【００２６】
（Ｄ）本発明に係る第１のオーディオ再生処理
図４は本発明に係る第１のオーディオ再生処理のフローチャートである。なお、携帯型オーディオ装置Ｐ１、Ｐ２、Ｐ３には図５に示すような楽曲情報（楽曲名、アーティスト名及び再生回数データ）と楽曲データとが記憶されている。
ユーザは、オーディオ装置１の通信インターフェース１４と携帯型オーディオ装置Ｐ１、Ｐ２、Ｐ３が有する通信インターフェース２１とをそれぞれ接続する（ステップＳ１）。制御部２は、携帯型オーディオ装置Ｐ１、Ｐ２、Ｐ３が接続されたことを認識して、各携帯型オーディオ装置Ｐ１、Ｐ２、Ｐ３の読出制御部２５に楽曲情報を入力するように通信インターフェース１４を介して指示する。この指示により、読出制御部２５は楽曲データ記憶部２３から楽曲情報を読み出して、制御部２に通信インターフェース２１を介して該楽曲情報を入力する。これにより、制御部２は、携帯型オーディオ装置Ｐ１、Ｐ２、Ｐ３に記憶されている楽曲情報を取得し、楽曲情報記憶部１５に記憶する（ステップＳ２）。また、制御部２は、楽曲データ記憶装置を特定するデータを該楽曲情報に対応させて楽曲情報記憶部１５に記憶する（ステップＳ３）。以上により、楽曲情報記憶部１５には図６に示すような楽曲情報と楽曲データ記憶装置データとが記憶される。なお、楽曲番号１〜７は携帯型オーディオ装置Ｐ１から取得した楽曲情報、楽曲番号８〜１４は携帯型オーディオ装置Ｐ２から取得した楽曲情報、楽曲番号１５〜２１は携帯型オーディオ装置Ｐ３から取得した楽曲情報である。
【００２７】
ユーザが操作部６より「お気に入り曲」のプレイリスト再生を指示すると（ステップＳ４）、制御部２は、全ての携帯型オーディオ装置Ｐ１、Ｐ２、Ｐ３に共通する楽曲情報が楽曲情報記憶部１５に記憶されているか判定する（ステップＳ５）。ステップＳ５において、全ての携帯型オーディオ装置Ｐ１、Ｐ２、Ｐ３に共通する楽曲情報が楽曲情報記憶部１５に記憶されていれば、制御部２は、該当する楽曲情報に対する各携帯型オーディオ装置Ｐ１、Ｐ２、Ｐ３の再生回数データを加算して、合計再生回数を算出し（ステップＳ６）、該楽曲情報と合計再生回数とをプレイリスト記憶部７に記憶する（ステップＳ７）。更に、制御部２は、再生回数が最も多い携帯型オーディオ装置を楽曲データ記憶装置とし、該楽曲情報に対応させてプレイリスト記憶部７に記憶する（ステップＳ８）。以後、全ての携帯型オーディオ装置Ｐ１、Ｐ２、Ｐ３に共通する楽曲情報について、ステップＳ６〜Ｓ８の処理を繰り返す。これにより、プレイリスト記憶部７には、図７（Ａ）に示すような楽曲情報（プレイリスト）が記憶される。
ステップＳ５において、全ての携帯型オーディオ装置Ｐ１、Ｐ２、Ｐ３に共通する楽曲情報が楽曲情報記憶部１５に記憶されていなければ、制御部２はプレイリスト記憶部７に楽曲情報が記憶されているかを判定する（ステップＳ９）。ステップＳ９において、プレイリスト記憶部７に楽曲情報が記憶されていれば、制御部２はプレイリスト記憶部７に記憶された楽曲情報を合計再生回数が多い順に並び替え、図７（Ｂ）に示すようなプレイリストを作成する（ステップＳ１０）。そして、制御部２は、プレイリスト記憶部７に記憶された楽曲番号順に楽曲データ記憶装置データが特定する携帯型オーディオ装置から楽曲データを読み出し、この楽曲データを再生するように楽曲データ再生部９に指示する。この指示により、楽曲データ再生部９は楽曲データを再生し、スピーカ１３より再生音を出力する（ステップＳ１１）。ステップＳ９において、プレイリスト記憶部７に楽曲情報が記憶されていなければ、制御部２は再生処理を終了し、ユーザーからの次の指示を待つ。
【００２８】
以上により、オーディオ装置に複数のユーザの携帯型オーディオ装置を接続した際に、携帯型オーディオ装置のユーザ全員が好む楽曲データのみを自動的に判断して再生することができる。
【００２９】
（Ｅ）本発明に係る第２のオーディオ再生処理
図８は本発明に係る第２のオーディオ再生処理のフローチャートである。なお、携帯型オーディオ装置Ｐ１、Ｐ２、Ｐ３には、図５に示すような楽曲情報（楽曲名、アーティスト名及び再生回数データ）と楽曲データとが記憶されている。オーディオ装置は、図２のオーディオ装置を用いることができる。
ユーザは、オーディオ装置１の通信インターフェース１４と携帯型オーディオ装置Ｐ１、Ｐ２、Ｐ３が有する通信インターフェース２１とをそれぞれ接続し、図４のステップＳ１〜Ｓ１０と同一の処理を行い、全ての携帯型オーディオ装置Ｐ１、Ｐ２、Ｐ３に共通する楽曲情報のプレイリストを作成する（ステップＳ２１）。これにより、楽曲情報記憶部１５は、図６に示すような楽曲情報と楽曲データ記憶装置データとが記憶され、プレイリスト記憶部７は、図７（Ｂ）に示すようなプレイリストが作成される。但し、この第２のオーディオ再生処理においては、図４のステップＳ９において、プレイリスト記憶部７に楽曲情報が記憶されていない場合でも、後述するステップＳ２２以降の処理が継続して行われる。
【００３０】
次に、制御部２は、接続されている３台の携帯型オーディオ装置Ｐ１、Ｐ２、Ｐ３のうち、いずれか２台の携帯型オーディオ装置に共通する楽曲情報が楽曲情報記憶部１５に記憶されているか判定する（ステップＳ２２）。ステップＳ２２において、２台の携帯型オーディオ装置に共通する楽曲情報が楽曲情報記憶部１５に記憶されていれば、制御部２は、該当する楽曲情報に対する各携帯型オーディオ装置の再生回数データを加算して、合計再生回数を算出し（ステップＳ２３）、該楽曲情報と合計再生回数とをプレイリスト記憶部７に記憶する（ステップＳ２４）。更に、制御部２は、再生回数が多い携帯型オーディオ装置を楽曲データ記憶装置とし、該楽曲情報に対応させてプレイリスト記憶部７に記憶する（ステップＳ２５）。以後、いずれか２台の携帯型オーディオ装置に共通する楽曲情報について、ステップＳ２３〜Ｓ２５の処理を繰り返す。
ステップＳ２２において、２台の携帯型オーディオ装置に共通する楽曲情報が楽曲情報記憶部１５に記憶されていなければ、制御部２は、２台の携帯型オーディオ装置に共通する楽曲情報がプレイリスト記憶部７に記憶されているか判定する（ステップ２６）。ステップＳ２６において、２台の携帯型オーディオ装置に共通する楽曲情報がプレイリスト記憶部７に記憶されていれば、制御部２は、ステップＳ２３〜Ｓ２５において、プレイリスト記憶部７に記憶した楽曲情報を合計再生回数が多い順に並び替え、これを図７（Ｂ）に示すプレイリストの後段に追加して、図９（Ａ）に示すようなプレイリストを作成する（ステップＳ２７）。
次いで、制御部２は、プレイリスト記憶部７に記憶されていない楽曲情報、すなわち楽曲情報記憶部１５に記憶された楽曲情報の中で非共通の楽曲情報を再生回数が多い順にプレイリスト記憶部７（図９（Ａ）に示すプレイリストの後段）に記憶する（ステップＳ２８）。以上により、プレイリスト記憶部７には図９（Ｂ）に示すようなプレイリストが作成される。そして、制御部２は、プレイリスト記憶部７に記憶された楽曲番号順に楽曲データ記憶装置データが特定する携帯型オーディオ装置から楽曲データを読み出し、この楽曲データを再生するように楽曲データ再生部９に指示する。この指示により、楽曲データ再生部９は楽曲データを再生し、スピーカ１３より再生音を出力する（ステップＳ２９）。
【００３１】
以上により、オーディオ装置に複数のユーザの携帯型オーディオ装置を接続した際に、複数の携帯型オーディオ装置Ｐ１、Ｐ２、Ｐ３のユーザ全員が好む順に楽曲データを再生することができる。
【００３２】
（Ｆ）本発明に係る第３のオーディオ再生処理
図１０は本発明に係る第３のオーディオ再生処理のフローチャートである。なお、携帯型オーディオ装置Ｐ１、Ｐ２、Ｐ３には、図５に示すような楽曲情報（楽曲名、アーティスト名及び再生回数データ）と楽曲データとが記憶されている。オーディオ装置は、図２のオーディオ装置を用いることができる。
ユーザは、オーディオ装置１の通信インターフェース１４と携帯型オーディオ装置Ｐ１、Ｐ２、Ｐ３が有する通信インターフェース２１とをそれぞれ接続し、図４のステップＳ１〜Ｓ３と同一の処理を行い、携帯型オーディオ装置Ｐ１、Ｐ２、Ｐ３から楽曲情報を取得し、楽曲情報記憶部１５に記憶する（ステップＳ３１）。これにより、楽曲情報記憶部１５は、図６に示すような楽曲情報と楽曲データ記憶装置データとが記憶される。
ユーザが操作部６より「お気に入り曲」のプレイリスト再生を指示すると（ステップＳ３２）、制御部２は、各携帯型オーディオ装置Ｐ１、Ｐ２、Ｐ３から取得した楽曲情報において、共通する楽曲情報があるか判定する（ステップＳ３３）。この時、前述した第１、第２のオーディオ再生処理とは異なり、何台の携帯型オーディオ装置に共通するかは考慮しない。ステップＳ３３において、共通する楽曲情報があれば、各楽曲情報の再生回数データを加算し、合計再生回数を算出し（ステップＳ３４）、該楽曲情報と合計再生回数とをプレイリスト記憶部７に記憶する（ステップＳ３５）。更に、制御部２は、再生回数が最も多い携帯型オーディオ装置を楽曲データ記憶装置とし、該楽曲情報に対応させてプレイリスト記憶部７に記憶する（ステップＳ３６）。以後、共通する楽曲情報について、ステップＳ３４〜Ｓ３６の処理を繰り返す。これにより、プレイリスト記憶部７は図１１（Ａ）に示すようなプレイリストが作成される。
ステップＳ３３において、共通する楽曲情報がなければ、取得した楽曲情報において、非共通の楽曲情報をプレイリスト記憶部７に記憶する（ステップＳ３７）。その後、プレイリスト記憶部７に記憶された楽曲情報を合計再生回数が多い順に並び替え、図１１（Ｂ）に示すようなプレイリストを作成する（ステップＳ３８）。
そして、制御部２は、プレイリスト記憶部７に記憶された楽曲番号順に楽曲データ記憶装置データが特定する携帯型オーディオ装置から楽曲データを読み出し、この楽曲データを再生するように楽曲データ再生部９に指示する。この指示により、楽曲データ再生部９は楽曲データを再生し、スピーカ１３より再生音を出力する（ステップＳ３９）。
【００３３】
以上により、オーディオ装置に複数のユーザの携帯型オーディオ装置を接続した際に、複数の携帯型オーディオ装置Ｐ１、Ｐ２、Ｐ３のユーザ全員が好む順に楽曲データを再生することができる。
【００３４】
以上、実施例に従って詳細に説明したが、本発明は、オーディオ装置及び楽曲データ記憶部（携帯型オーディオ装置に限定されない）の構成や制御手順等についても、特許請求の範囲に記載された本発明の要旨の範囲内において、種々の変形・変更が可能である。
【図面の簡単な説明】
【００３５】
【図１】本発明に係るオーディオ装置の概略図である。
【図２】本発明に係るオーディオ装置の構成図である。
【図３】携帯型オーディオ装置の構成図である。
【図４】本発明に係る第１のオーディオ再生処理のフローチャートである。
【図５】携帯型オーディオ装置に記憶されている楽曲情報及び楽曲データを示す図である。
【図６】楽曲情報記憶部に記憶される楽曲情報を示す図である。
【図７】本発明に係る第１のオーディオ再生処理において作成されるプレイリストを示す図である。
【図８】本発明に係る第２のオーディオ再生処理のフローチャートである。
【図９】本発明に係る第２のオーディオ再生処理において作成されるプレイリストを示す図である。
【図１０】本発明に係る第３のオーディオ再生処理のフローチャートである。
【図１１】本発明に係る第３のオーディオ再生処理において作成されるプレイリストを示す図である。
【符号の説明】
【００３６】
１…オーディオ装置
２…制御部
６…操作部
７…プレイリスト記憶部
９…楽曲データ再生部
Ｐ１、Ｐ２、Ｐ３…携帯型オーディオ装置
【図１】
0004401363.tif 000002
【図２】
0004401363.tif 000003
【図３】
0004401363.tif 000004
【図４】
0004401363.tif 000005
【図５】
0004401363.tif 000006
【図６】
0004401363.tif 000007
【図７】
0004401363.tif 000008
【図８】
0004401363.tif 000009
【図９】
0004401363.tif 000010
【図１０】
0004401363.tif 000011
【図１１】
0004401363.tif 000012